(57)【特許請求の範囲】
【請求項１】
室炉式コークス炉の炭化室並設方向に沿って敷設された軌道上を走行する走行台車と、該走行台車に搭載された押出しラムと、該押出しラムを前後方向に進退駆動する押出しラム駆動手段とを備えたコークス押出し機において、
前記炭化室にコークス詰りが生じたときに前記押出しラムの前端部に装着されるコークス取り出しスコップに冷却水を散水する冷却水散水ノズルを、前記走行台車に設け、
前記コークス取り出しスコップによりコークスが前記炭化室から取り出されたときのみ前記冷却水散水ノズルから前記コークス取り出しスコップに冷却水を自動的に散水してコークスを冷却するために、前記冷却水散水ノズルに給水ホースを介して接続された三方電磁弁をリミットスイッチからの信号に基づいて切換制御する制御装置を前記走行台車に設けたことを特徴とするコークス押出し機。
【発明の詳細な説明】
【技術分野】
【０００１】
本発明は、蓄熱室の上部に炭化室と燃焼室が交互に並設された室炉式コークス炉で使用されるコークス押出し機に関する。
【背景技術】
【０００２】
一般に、室炉式コークス炉で使用されるコークス押出し機は炭化室の並設方向に沿って配設された軌道上を走行する走行台車を備えており、この走行台車に搭載された押出しラムを炭化室に押し込んで炭化室からコークスを押し出すように構成されている。
ところで、このようなコークス押出し機が使用される室炉式コークス炉の炭化室内壁面に押出しラムの前進動作を阻害する凹凸がカーボンの付着などにより生じると、炭化室にコークス詰りが生じてコークスを押し出すことができなくなるため、コークス詰りが生じた炭化室からコークスを取り出して炭化室内壁面に生じた凹凸を取り除く必要がある。しかし、コークス詰りが生じた炭化室からコークスを掻き出す場合、従来は、特許文献１に記載されているように、コークスの取り出し作業を人力により行っていたため、多くの労力や時間を要していた。
そこで、かかる問題を解消するため、炭化室にコークス詰りが生じたときに押出しラムの前端部にコークス取り出しスコップを装着し、このコークス取り出しスコップにより炭化室からコークスを掻き出す技術が特許文献２に開示されている。
【特許文献１】実開昭５７−４６３４１号公報（１頁右欄第６〜９行参照）
【特許文献２】実開平５−４３０８３号公報
【発明の開示】
【発明が解決しようとする課題】
【０００３】
特許文献２に開示された技術では、多くの労力や時間を要することなく炭化室からコークスを掻き出すことができるが、炭化室から取り出されたコークスをそのままホッパーに投入していたため、ホッパー周辺の機器が熱的損傷を受けるおそれがあった。
本発明は上述した問題点に鑑みてなされたものであり、その目的は、コークス取り出しスコップにより室炉式コークス炉の炭化室から取り出されたコークスの熱的影響を低減することのできるコークス押出し機を提供することである。
【課題を解決するための手段】
【０００４】
上記課題を解決するために、本発明に係るコークス押出し機は、室炉式コークス炉の炭化室並設方向に沿って敷設された軌道上を走行する走行台車と、該走行台車に搭載された押出しラムと、該押出しラムを前後方向に進退駆動する押出しラム駆動手段とを備えたコークス押出し機において、前記炭化室にコークス詰りが生じたときに前記押出しラムの前端部に装着されるコークス取り出しスコップに冷却水を散水する冷却水散水ノズルを、前記走行台車に設け、前記コークス取り出しスコップによりコークスが前記炭化室から取り出されたときのみ前記冷却水散水ノズルから前記コークス取り出しスコップに冷却水を自動的に散水してコークスを冷却するために、前記冷却水散水ノズルに給水ホースを介して接続された三方電磁弁をリミットスイッチからの信号に基づいて切換制御する制御装置を前記走行台車に設けたことを特徴とするものである。
【発明の効果】
【０００５】
本発明に係るコークス押出し機によれば、コークス取り出しスコップにより炭化室から取り出されたコークスを冷却水散水ノズルからコークス取り出しスコップに散水された冷却水により冷却することができ、これにより、コークス取り出しスコップにより炭化室から取り出されたコークスがそのままホッパーに投入されることがないので、コークス取り出しスコップにより室炉式コークス炉の炭化室から取り出されたコークスの熱的影響を低減することができる。
【発明を実施するための最良の形態】
【０００６】
以下、図１及び図２を参照して本発明の一実施形態について説明する。
本発明の一実施形態に係るコークス押出し機は、図１に示すように、室炉式コークス炉の炭化室１１が並設された方向に沿って敷設された軌道上を走行する走行台車１２を備えており、この走行台車１２には、油圧シリンダ等の押出しラム駆動手段１３により前後方向（炭化室１１の並設方向と直交する方向）に進退駆動される押出しラム１４が搭載されている。
【０００７】
また、走行台車１２には、炭化室１１にコークス詰りが生じたときに押出しラム１４の前端部に装着されるコークス取り出しスコップ１５に冷却水を散水する冷却水散水ノズル１６と、この冷却水散水ノズル１６に給水ホース１７を介して接続された三方電磁弁１８を切換制御する制御装置１９が設けられ、三方電磁弁１８には、室炉式コークス炉の手前に設置された消火栓２０から冷却水が供給されているとともに、消火栓２０から供給された冷却水をホッパー２１へ放水する放水管２２が接続されている。
【０００８】
制御装置１９は走行台車１２に設けられたリミットスイッチ２３からの信号に基づいて三方電磁弁１８を切換制御するように構成されており、リミットスイッチ２３は例えば押出しラム１４が所定位置まで後退するとOFFからONに切り替わるようになっている。
なお、冷却水散水ノズル１６は上下方向と左右方向（走行台車１２の走行方向）に回動自在に且つ冷却水の吐出角度が水圧により変化しないように走行台車１２に設けられている。
【０００９】
このような構成において、図２に示すように、走行台車１２に搭載された押出しラム１４を押出しラム駆動手段１３により前進させ、コークス詰りが生じた炭化室１１からコークスをコークス取り出しスコップ１５により取り出した後、押出しラム１４を所定位置まで後退させると、走行台車１２に設けられたリミットスイッチ２３が例えばOFFからONに切り替わる。そして、リミットスイッチ２３がOFFからONに切り替わると、冷却水の供給先を放水管２２から冷却水散水ノズル１６に切り換える旨の制御信号が制御装置１９から三方電磁弁１８に送出され、冷却水散水ノズル１６からコークス取り出しスコップ１５に冷却水２４が一定時間だけ散水される。なお、冷却水散水ノズル１６からコークス取り出しスコップ１５に冷却水２４が一定時間だけ散水され、冷却水散水ノズル１６からコークス取り出しスコップ１５への冷却水２４の散水が終了すると、コークス取り出しスコップ１５により炭化室１１から取り出されたコークスがホッパー２１に投入される。
【００１０】
したがって、上述した本発明の一実施形態では、コークス取り出しスコップ１５により炭化室１１から取り出されたコークスを冷却水散水ノズル１６からコークス取り出しスコップ１５に散水される冷却水により冷却することができ、これにより、コークス取り出しスコップ１５により炭化室１１から取り出されたコークスがそのままホッパー２１に投入されることがないので、コークス取り出しスコップ１５により炭化室１１から取り出されたコークスの熱的影響を低減することができる。
【００１１】
また、押出しラム１４が所定位置に後退したことを検出するリミットスイッチ２３を走行台車１２に設けるとともに、冷却水散水ノズル１６に給水ホース１７を介して接続された三方電磁弁１８をリミットスイッチ２３からの信号に基づいて切換制御する制御装置１９を走行台車１２に設けたことにより、コークス取り出しスコップ１５によりコークスが炭化室１１から取り出されたときのみ冷却水散水ノズル１６からコークス取り出しスコップ１５に冷却水を自動的に散水してコークスを冷却することができる。
【図面の簡単な説明】
【００１２】
【図１】本発明の一実施形態に係るコークス押出し機の側面図である。
【図２】本発明の一実施形態に係るコークス押出し機の作用を説明するための図である。
【符号の説明】
【００１３】
１１  炭化室
１２  走行台車
１３  押出しラム駆動手段
１４  押出しラム
１５  コークス取り出しスコップ
１６  冷却水散水ノズル
１７  給水ホース
１８  三方電磁弁
１９  制御装置
２０  消火栓
２１  ホッパー
２２  放水管
２３  リミットスイッチ
２４  冷却水
【図１】
0005365070.tif 000002
【図２】
0005365070.tif 000003